(57)【要約】【課題】タッチ検出の精度の低下を抑制することが可能な表示装置を提供することにある。【解決手段】実施形態に係る表示装置は、第１方向に延出するように第２方向に並べて配置される複数の第１電極と、第２方向に延出するように第１方向に並べて配置される複数の第２電極と、複数の第１電極と沿うように配置され、複数の第２電極の各々に接続される複数の配線と、複数の配線と接続されるタッチ検出ドライバとを具備する。第２電極の近傍に配置されている配線と第１電極との間の距離が予め定められた値よりも短い場合には、当該第２電極にシールド部が形成されている。第２電極の近傍に配置されている配線と第１電極との間の距離が予め定められた値よりも長い場合には、当該第２電極に前記シールド部は形成されない。【選択図】図１０
2020042574.tif 000002
【特許請求の範囲】
【請求項１】
表示領域に画像を表示する表示装置において、
前記表示領域に重畳して、第１方向に延出するように前記第１方向と交差する第２方向に並べて配置される複数の第１電極と、
前記表示領域に重畳して、前記第２方向に延出するように前記第１方向に並べて配置される複数の第２電極と、
前記複数の第１電極と沿うように配置され、前記複数の第２電極の各々に接続される複数の配線と、
前記複数の配線と接続され、前記複数の第１電極と前記複数の第２電極との間の静電容量に基づいて前記表示領域に対する物体の接触または近接を検出するタッチ検出ドライバと
を具備し、
前記複数の第２電極のうちの１つの第２電極の近傍に配置されている配線と前記複数の第１電極のうちの当該配線の近傍に配置されている第１電極との間の距離が予め定められた値よりも短い場合には、当該第２電極にシールド部が形成されており、
前記複数の第２電極のうちの１つの第２電極の近傍に配置されている配線と前記複数の第１電極のうちの当該配線の近傍に配置されている第１電極との間の距離が予め定められた値よりも長い場合には、当該第２電極に前記シールド部は形成されない
表示装置。
【請求項２】
前記第２電極に形成されたシールド部と当該第２電極に隣接する第２電極に形成されたシールド部との間隔は、予め定められた値よりも狭い請求項１記載の表示装置。
【請求項３】
前記第２電極に接続される配線と当該配線の近傍に配置されている第１電極との間の距離に応じて、当該第２電極に形成されるシールド部の大きさが異なる請求項１記載の表示装置。
【請求項４】
前記第２電極に形成されたシールド部と前記第１電極とが重なり合う部分の面積は、他の第２電極に形成されたシールド部と前記第１電極とが重なり合う部分の面積と略同一である請求項１記載の表示装置。
【請求項５】
前記表示領域に画像を表示するための複数の共通電極を前記複数の第１電極として用いる請求項１記載の表示装置。
【請求項６】
表示領域に画像を表示する表示装置において、
前記表示領域に重畳して、第１方向に延出するように前記第１方向と交差する第２方向に並べて配置される複数の第１電極と、
前記表示領域に重畳して、前記第２方向に延出するように前記第１方向に並べて配置される複数の第２電極と、
前記複数の第１電極と沿うように配置され、前記複数の第２電極の各々に接続される複数の配線と、
前記複数の配線と接続され、前記複数の第１電極と前記複数の第２電極との間の静電容量に基づいて前記表示領域に対する物体の接触または近接を検出するタッチ検出ドライバと
を具備し、
前記複数の第２電極のうちの１つの第２電極の近傍に配置されている配線と前記複数の第１電極のうちの当該配線の近傍に配置されている第１電極との間の距離が予め定められた値よりも短い場合には、当該第２電極に第１シールド部が形成されており、
前記複数の第２電極のうちの１つの第２電極の近傍に配置されている配線と前記複数の第１電極のうちの当該配線の近傍に配置されている第１電極との間の距離が予め定められた値よりも長い場合には、当該第２電極に第２シールド部が形成されており、
前記第１シールド部は、前記第１電極と重なり合う位置に形成されており、
前記第２シールド部は、前記第１電極と重なり合わない位置に形成されている
表示装置。
【請求項７】
表示領域に画像を表示する表示装置において、
前記表示領域に重畳して、第１方向に延出するように前記第１方向と交差する第２方向に並べて配置される複数の第１電極と、
前記表示領域に重畳して、前記第２方向に延出するように前記第１方向に並べて配置される複数の第２電極と、
前記複数の第１電極と沿うように配置され、前記複数の第２電極の各々に接続される複数の配線と、
前記複数の配線と接続され、前記複数の第１電極と前記複数の第２電極との間の静電容量に基づいて前記表示領域に対する物体の接触または近接を検出するタッチ検出ドライバと
を具備し、
前記複数の第２電極のうちの１つの第２電極の近傍に配置されている配線と前記複数の第１電極のうちの当該配線の近傍に配置されている第１電極との間の距離が予め定められた値よりも短い場合には、当該第２電極に第１シールド部が形成されており、
前記複数の第２電極のうちの１つの第２電極の近傍に配置されている配線と前記複数の第１電極のうちの当該配線の近傍に配置されている第１電極との間の距離が予め定められた値よりも長い場合には、当該第２電極に第２シールド部が形成されており、
前記第２シールド部と前記第１電極とが重なり合う部分の面積は、前記第１シールド部と前記第１電極とが重なり合う部分の面積よりも小さい
表示装置。
【請求項８】
前記表示領域は、矩形形状とは異なる形状を有する請求項１〜７のいずれか一項に記載の表示装置。
【発明の詳細な説明】
【技術分野】
【０００１】
本発明の実施形態は、表示装置に関する。
【背景技術】
【０００２】
近年では、例えばスマートフォン及びタブレットコンピュータのような電子機器が広く普及している。このような電子機器においては、タッチ検出機能を有する表示装置（以下、タッチ検出機能付き表示装置と表記）が採用されている。
【０００３】
このようなタッチ検出機能付き表示装置においては、表示領域（アクティブエリア）に対する例えば指先またはペン等の物体（外部近接物体）の接触または近接等を検出することができる。
【０００４】
ここで、上記したタッチ検出機能は駆動電極とタッチ検出電極とが配置されることにより実現されるが、当該駆動電極と当該タッチ検出電極に接続される配線との間で寄生容量が発生することが知られている。
【０００５】
この寄生容量はタッチ検出の精度に影響を及ぼすため、例えばシールド部（シールドパタン電極）を形成することによって当該寄生容量の発生を抑制することが行われている。
【０００６】
しかしながら、上記した寄生容量の発生を抑制する構成を採用したとしても、タッチ検出の精度が低下する場合がある。
【先行技術文献】
【特許文献】
【０００７】
【特許文献１】特開２０１７−０５９１４７号公報
【特許文献２】特開２０１７−１３８７８２号公報
【発明の概要】
【発明が解決しようとする課題】
【０００８】
そこで、本発明が解決しようとする課題は、タッチ検出の精度の低下を抑制することが可能な表示装置を提供することにある。
【課題を解決するための手段】
【０００９】
実施形態によれば、表示領域に画像を表示する表示装置が提供される。前記表示装置は、前記表示領域に重畳して、第１方向に延出するように前記第１方向と交差する第２方向に並べて配置される複数の第１電極と、前記表示領域に重畳して、前記第２方向に延出するように前記第１方向に並べて配置される複数の第２電極と、前記複数の第１電極と沿うように配置され、前記複数の第２電極の各々に接続される複数の配線と、前記複数の配線と接続され、前記複数の第１電極と前記複数の第２電極との間の静電容量に基づいて前記表示領域に対する物体の接触または近接を検出するタッチ検出ドライバとを具備する。前記複数の第２電極のうちの１つの第２電極の近傍に配置されている配線と前記複数の第１電極のうちの当該配線の近傍に配置されている第１電極との間の距離が予め定められた値よりも短い場合には、当該第２電極にシールド部が形成されている。前記複数の第２電極のうちの１つの第２電極の近傍に配置されている配線と前記複数の第１電極のうちの当該配線の近傍に配置されている第１電極との間の距離が予め定められた値よりも長い場合には、当該第２電極に前記シールド部は形成されない。
【図面の簡単な説明】
【００１０】
【図１】第１実施形態に係る表示装置の概略構成の一例を示す斜視図。
【図２】表示装置に備えられる表示パネルの概略構成の一例を示す図。
【図３】表示装置の断面構造の一例を模式的に示す図。
【図４】タッチ検出機構の基本動作について説明するための図。
【図５】表示装置における表示期間及びタッチ検出期間との関係の一例について説明するための図。
【図６】本実施形態の比較例における駆動電極とタッチ検出電極との位置関係を模式的に示す図。
【図７】タッチ検出電極と配線との接続部分の一例を示す図。
【図８】タッチ検出電極に形成されるシールド部について説明するための図。
【図９】本実施形態における駆動電極とタッチ検出電極の位置関係の一例を模式的に示す図。
【図１０】タッチ検出電極に形成されるシールド部について具体的に説明するための図。
【図１１】タッチ検出電極に接続される配線の異なる配置例を示す図。
【図１２】第２実施形態においてタッチ検出電極に形成されるシールド部について説明するための図。
【図１３】駆動電極に重なり合う位置にシールド部が形成される構成について説明するための図。
【発明を実施するための形態】
【００１１】
以下、図面を参照して、実施形態について説明する。  
なお、開示はあくまで一例に過ぎず、当業者において、発明の趣旨を保っての定義変更について容易に想到し得るものについては、当然に本発明の範囲に含有される。また、図面は、説明をより明確にするため、実際の態様に比べて模式的に表される場合があるが、あくまで一例であって、本発明の解釈を限定するものではない。各図において、連続して配置される同一または類似の要素については符号を省略することがある。また、本明細書と各図において、既出の図に関して前述したものと同一または類似した機能を発揮する構成要素には同一の参照符号を付し、重複する詳細な説明を省略することがある。
【００１２】
（第１実施形態）
まず、第１実施形態について説明する。図１は、本実施形態に係る表示装置の概略構成を示す斜視図である。本実施形態に係る表示装置はタッチ検出機能を有する表示装置であり、このような表示装置としては、当該表示装置の表示面上にタッチパネルを形成したいわゆるオンセル型と称されるタッチ検出機構を備えるものの他に、当該表示装置にもともと備えられている画像表示用の共通電極を、一対のタッチ検出用の電極のうちの一方として兼用し、他方の電極（タッチ検出電極）をこの共通電極と交差するように配置した、いわゆるインセル型と称されるタッチ検出機構を備えるものがある。以下の説明において、本実施形態に係る表示装置はインセル型と称されるタッチ検出機構を備えるものとして説明する。
【００１３】
図１に示す表示装置１０は、表示パネル１１を備える。表示パネル１１としては、表示機能層として液晶層を用いた表示パネル及び有機発光層（有機ＥＬ）を用いた表示パネル等が用いられるが、ここでは液晶層を用いた表示パネルについて説明する。
【００１４】
表示パネル１１は、第１基板１１１（アレイ基板）と、当該第１基板１１１に対向配置された第２基板１１２（対向基板）と、第１基板１１１及び第２基板１１２の間に形成された液晶層（図示せず）とを備える。なお、例えば第１基板１１１上には、表示パネル１１を駆動するパネルドライバ（液晶ドライバ）１１３が搭載されている。パネルドライバ１１３は、表示パネル１１を駆動することにより、当該表示パネル１１の表示領域ＤＡ（アクティブエリア）に画像を表示することができる。
【００１５】
また、表示パネル１１は、例えば容量変化検出型のタッチ検出機構１２と一体化して構成されている。
【００１６】
タッチ検出機構１２は、複数のタッチ検出電極Ｒｘ（第２電極）を備える。複数のタッチ検出電極Ｒｘは、第２基板１１２上の、表示パネル１１の表示領域ＤＡに重畳する位置に配置されている。また、複数のタッチ検出電極Ｒｘは、Ｘ方向（第２方向）に延出し、Ｙ方向（第１方向）に並べて配置されている。タッチ検出電極Ｒｘは、例えば透明電極であり、ＩＴＯ（インジウム・ティン・オキサイド）またはＩＺＯ（インジウム・ジンク・オキサイド）等の透明な導電材料によって形成される。なお、タッチ検出電極Ｒｘは、表示パネル１１の外部に設けられていてもよいし、内部に設けられていてもよい。タッチ検出機構１２は、フレキシブル配線基板ＦＰＣ２を介してタッチ検出ドライバ１２１と接続される。
【００１７】
また、図１には示されていないが、表示パネル１１においては、第１基板１１１上に上記した画像表示用の複数の共通電極（第１電極）が設けられている。本実施形態において、この複数の共通電極は、タッチ検出用の電極のうちの一方として用いられ、上記したタッチ検出電極Ｒｘと対向する位置に配置されている。共通電極は、例えばＩＴＯ等によって形成されている。
【００１８】
本実施形態に係る表示装置１０においては、タッチ検出電極Ｒｘと共通電極との間の静電容量（相互静電容量）に基づいて表示領域ＤＡに対する物体（被検出物）の接触または近接を検出することができる。なお、表示装置１０においては物体の接触または近接を検出することが可能であるが、以下の説明においては、便宜的に単に物体の接触を検出するものとして説明する。
【００１９】
また、表示パネル１１の外部には例えばホスト装置ＨＯＳが設けられ、当該ホスト装置ＨＯＳは、フレキシブル配線基板ＦＰＣ１及びパネルドライバ１１３を介して、表示パネル１１に接続されている。また、ホスト装置ＨＯＳは、フレキシブル配線基板ＦＰＣ２及びタッチ検出ドライバ１２１を介して、タッチ検出機構１２に接続されている。
【００２０】
なお、パネルドライバ１１３及びタッチ検出ドライバ１２１は、同一チップとして構成されていても構わない。タッチ検出ドライバ１２１をパネルドライバ１１３と同一チップとする場合には、当該チップを例えば第２基板１１２、フレキシブル配線基板ＦＰＣ１またはフレキシブル配線基板ＦＰＣ２上に配置することにより、フレキシブル配線基板ＦＰＣ１またはフレキシブル配線基板ＦＰＣ２等を省略してもよい。
【００２１】
第１基板１１１の下側（つまり、表示パネル１１の背面側）には、表示パネル１１を照明する照明具としてバックライトユニット１３が配置されている。フレキシブル配線基板ＦＰＣ３は、バックライトユニット１３とホスト装置ＨＯＳとを接続する。バックライトユニット１３としては、種々の形態のバックライトユニットが利用可能であり、光源としては、発光ダイオード（ＬＥＤ）を利用したもの及び冷陰極管（ＣＣＦＬ）を利用したもの等がある。ここでは、表示パネル１１の背面側に配置されるバックライトユニット１３を使用する場合について説明したが、当該表示パネル１１の表示面側に配置されるフロントライトが使用されても構わない。また、導光板とそのサイドに配置されるＬＥＤまたは冷陰極管を用いた照明具が使用されてもよいし、発光素子を平面的に配列した点状光源を用いた照明具が使用されてもよい。なお、表示装置１０が反射型の表示装置である場合、または表示パネル１１が有機ＥＬを用いている場合には、表示装置１０は照明具を備えない構成であってもよい。
【００２２】
また、本実施形態における表示パネル１１は、透過型、反射型、半透過型のいずれであってもよい。透過型の表示パネル１１が適用された表示装置１０には、上記の通り、第１基板１１１の背面側にバックライトユニット１３を備え、当該バックライトユニット１３からの光を選択的に透過させることで画像を表示する透過表示機能を有している。反射型の表示パネル１１が適用される表示装置１０は、光を反射する反射層を液晶層より表示パネル１１の背面側に有し、第２基板１１２の前面側（表示面側）からの光を選択的に反射させることで画像を表示する反射表示機能を有している。なお、反射型の表示パネル１１の前面側には、補助光源が備えられてもよい。また、反射層は、金属等の反射機能を有する材料で液晶層より表示パネル１１の背面側にある電極を形成するように構成されていてもよい。半透過型の表示パネル１１が適用される表示装置１０は、上記の透過表示機能及び反射表示機能を有している。
【００２３】
図２は、表示装置１０に備えられる表示パネル１１の概略構成を示す。表示パネル１１には、複数の画素ＰＸがマトリクス状に配置されている。なお、図２においては、便宜的に、３つの画素ＰＸのみが示されている。
【００２４】
ここで、複数の画素ＰＸの各々は、画素スイッチＳＷを備える。画素スイッチＳＷは、薄膜トランジスタ（ＴＦＴ：Thin Film Transistor）を含み、複数の画素ＰＸが配列する行に沿って延びる走査線Ｇと複数の画素ＰＸが配列する列に沿って延びる信号線Ｓとが交差する位置近傍に配置されている。
【００２５】
画素スイッチＳＷのゲート電極は、対応する走査線Ｇと電気的に接続されている。画素スイッチＳＷのソース電極は、対応する信号線Ｓと電気的に接続されている。また、画素スイッチＳＷのドレイン電極は、対応する画素電極ＰＥと電気的に接続されている。なお、画素スイッチＳＷのソース電極が対応する画素電極ＰＥと接続され、当該画素スイッチＳＷのドレイン電極が対応する信号線Ｓと接続される構成であってもよい。
【００２６】
また、表示パネル１１には、複数の画素ＰＸを駆動するためにゲートドライバＧＤ及びソースドライバＳＤが設けられている。複数の走査線Ｇは、ゲートドライバＧＤの出力端子と電気的に接続されている。複数の信号線Ｓは、ソースドライバＳＤの出力端子と電気的に接続されている。
【００２７】
ゲートドライバＧＤは、複数の走査線Ｇにオン電圧を順次印加して、選択された走査線Ｇに電気的に接続された画素スイッチＳＷのゲート電極にオン電圧を供給する。ゲート電極にオン電圧が供給された画素スイッチＳＷにおいては、ソース電極−ドレイン電極間が導通する。
【００２８】
ソースドライバＳＤは、複数の信号線Ｓのそれぞれに対応する出力信号を供給する。信号線Ｓに供給された信号は、ソース電極−ドレイン電極間が導通した画素スイッチＳＷを介して、対応する画素電極ＰＥに印加される。
【００２９】
更に、表示パネル１１は、共通電極ドライバＣＤを備える。共通電極ドライバＣＤは、共通電極ＣＯＭＥに駆動信号を供給する（駆動電圧を印加する）回路である。上記した画素電極ＰＥ及び共通電極ＣＯＭＥは、絶縁膜を介して対向配置されている。画素電極ＰＥ、共通電極ＣＯＭＥ及び絶縁膜は、保持容量ＣＳを形成する。
【００３０】
なお、ゲートドライバＧＤ、ソースドライバＳＤ及び共通電極ドライバＣＤは、表示パネル１１の周囲の領域（額縁）に配置され、上記したパネルドライバ１１３によって制御される。また、図２においては示されていないが、パネルドライバ１１３は、バックライトユニット１３の動作を制御する。
【００３１】
表示装置１０においては、パネルドライバ１１３がゲートドライバＧＤ、ソースドライバＳＤ、共通電極ドライバＣＤ及びバックライトユニット１３等を制御することによって、表示領域ＤＡに画像を表示することができる。
【００３２】
なお、図２においては１つのゲートドライバＧＤのみが示されているが、表示パネル１１は、複数のゲートドライバＧＤを備える構成であってもよい。例えば２つのゲートドライバＧＤを備える場合、例えば複数の走査線Ｇのうちの一部の走査線が一方のゲートドライバＧＤと接続され、残りの走査線が他方のゲートドライバと接続されるように構成される。この場合、２つのゲートドライバは、例えば複数の画素ＰＸを挟んで対向するように配置される。
【００３３】
図３は、表示装置１０の断面構造を模式的に示す図（断面図）である。なお、図３においては、便宜的に、表示装置１０の断面構造の一部のみが示されている。
【００３４】
表示装置１０は、表示パネル１１、バックライトユニット１３、第１光学素子ＯＤ１及び第２光学素子ＯＤ２を備える。
【００３５】
なお、図３において、表示パネル１１は、表示モードとしてＦＦＳ（Fringe Field Switching）モードに対応した構成を有しているが、他の表示モードに対応した構成を有していてもよい。
【００３６】
表示パネル１１は、上述したように第１基板１１１、第２基板１１２及び液晶層ＬＱを備える。第１基板１１１と第２基板１１２とは、所定のセルギャップを形成した状態で貼り合わされている。液晶層ＬＱは、第１基板１１１と第２基板１１２との間のセルギャップに保持されている。
【００３７】
第１基板１１１は、ガラス基板や樹脂基板等の光透過性を有する第１絶縁基板２０１を用いて形成されている。第１基板１１１は、第１絶縁基板２０１の第２基板１１２に対向する側に、信号線Ｓ、共通電極ＣＯＭＥ、画素電極ＰＥ、第１絶縁膜２０２、第２絶縁膜２０３、第３絶縁膜２０４及び第１配向膜ＡＬ１等を備える。
【００３８】
ここで、画素電極ＰＥ及び共通電極ＣＯＭＥは上記した液晶層ＬＱの画素領域とともに画素ＰＸを構成し、当該画素ＰＸは、上記したように表示パネル１１にマトリクス状に配置される。
【００３９】
第１絶縁膜２０２は、第１絶縁基板２０１の上に配置されている。また、信号線Ｓは、第１絶縁膜２０２の上に形成されている。図３に示す例では、信号線Ｓは、Ｙ方向に延出している。
【００４０】
なお、図示されていないが、第１絶縁基板２０１と第１絶縁膜２０２との間には、走査線Ｇ、スイッチング素子（画素スイッチＳＷ）のゲート電極及び半導体層等が配置されている。更に、スイッチング素子のソース電極及びドレイン電極等も第１絶縁膜２０２の上に形成されている。
【００４１】
第２絶縁膜２０３は、信号線Ｓ及び第１絶縁膜２０２の上に配置されている。共通電極ＣＯＭＥは、第２絶縁膜２０３の上に形成されている。共通電極ＣＯＭＥは、複数のセグメントによって構成されている。共通電極ＣＯＭＥの各セグメントは、それぞれＹ方向（第１方向）に延出し、所定の間隔でＸ方向（第２方向）に配列されている。共通電極ＣＯＭＥは、ＩＴＯまたはＩＺＯ等の透明な導電材料によって形成されている。図３に示す例では、共通電極ＣＯＭＥの上に金属層ＭＬが形成され、当該共通電極ＣＯＭＥが低抵抗化されている。なお、金属層ＭＬは省略されても構わない。
【００４２】
第３絶縁膜２０４は、共通電極ＣＯＭＥ及び第２絶縁膜２０３の上に配置されている。画素電極ＰＥは、第３絶縁膜２０４の上に形成されている。各画素電極ＰＥは、隣接する信号線Ｓの間にそれぞれ位置し、共通電極ＣＯＭＥと対向している。また、各画素電極ＰＥは、共通電極ＣＯＭＥと対向する位置にスリットＳＬを有している。このような画素電極ＰＥは、例えばＩＴＯまたはＩＺＯ等の透明な導電材料によって形成されている。第１配向膜ＡＬ１は、画素電極ＰＥ及び第３絶縁膜２０４を覆っている。
【００４３】
一方、第２基板１１２は、ガラス基板または樹脂基板等の光透過性を有する第２絶縁基板２０５を用いて形成されている。第２基板１１２は、第２絶縁基板２０５の第１基板１１１に対向する側に、ブラックマトリクスＢＭ、カラーフィルタＣＦＲ、ＣＦＧ、ＣＦＢ、オーバーコート層ＯＣ及び第２配向膜ＡＬ２等を備える。
【００４４】
ブラックマトリクスＢＭは、第２絶縁基板２０５の内面に形成され、各画素を区画している。カラーフィルタＣＦＲ、ＣＦＧ、ＣＦＢは、それぞれ第２絶縁基板２０５の内面に形成され、それらの一部がブラックマトリクスＢＭに重なっている。カラーフィルタＣＦＲは赤色カラーフィルタであり、カラーフィルタＣＦＧは緑色カラーフィルタであり、カラーフィルタＣＦＢは青色カラーフィルタである。オーバーコート層ＯＣは、カラーフィルタＣＦＲ、ＣＦＧ、ＣＦＢを覆っている。オーバーコート層ＯＣは、透明な樹脂材料によって形成されている。第２配向膜ＡＬ２は、オーバーコート層を覆っている。
【００４５】
なお、カラーフィルタ及びブラックマトリクス等は、第１絶縁基板２０１上に形成されていてもよい。また、カラーフィルタは、例えば画素電極ＰＥの上に積層されてもよい。
【００４６】
タッチ検出電極Ｒｘは、第２絶縁基板２０５の外面に形成されている。タッチ検出電極Ｒｘは、Ｘ方向に延出するように配置されている。なお、図３には示されていないが、複数のタッチ検出電極Ｒｘは、Ｙ方向に並べて配置されている。
【００４７】
タッチ検出電極Ｒｘは、上記したようにＩＴＯまたはＩＺＯ等の透明な導電材料によって形成されるが、例えばアルミニウム（Ａｌ）、チタン（Ｔｉ）、銀（Ａｇ）、モリブデン（Ｍｏ）、タングステン（Ｗ）、銅（Ｃｕ）、クロム（Ｃｒ）等の金属材料や、これらの金属材料を組み合わせた合金や、導電性の有機材料や、微細な導電性物質の分散体等によって形成されてもよい。また、タッチ検出電極Ｒｘは、上記の材料からなる単層体であってもよいし、積層体であってもよい。積層体の一例では、タッチ検出電極Ｒｘは、上記の金属材料からなる金属細線と、透明導電材料とを備えた構成が挙げられる。タッチ検出電極Ｒｘに金属材料を用いる場合は、メッシュ加工を施してもよいし、黒色材料でメッキ加工する等の不可視化処理をするとよりよい。
【００４８】
バックライトユニット１３は、上記したように表示パネル１１の背面側に配置されている。第１光学素子ＯＤ１は、第１絶縁基板２０１とバックライトユニット１３との間に配置されている。第２光学素子ＯＤ２は、タッチ検出電極Ｒｘの上に配置されている。第１光学素子ＯＤ１及び第２光学素子ＯＤ２は、それぞれ少なくとも偏光板を含む。また、第１光学素子ＯＤ１及び第２光学素子ＯＤ２は、必要に応じて位相差板を含む構成であってもよい。
【００４９】
図４は、上記したタッチ検出機構１２の基本動作を説明するための図である。図４は、相互容量（mutual）検出方式によるタッチ検出動作（物体の接触を検出する動作）について説明する。
【００５０】
相互容量検出方式のタッチ検出機構１２においては、第２基板１１２上で例えばＸ方向にストライプ状に形成されているタッチ検出電極Ｒｘと、第１基板１１１上でＹ方向にストライプ状に形成されている駆動電極Ｔｘとによりタッチ検出機能が実現される。図４に示すように、タッチ検出電極Ｒｘと駆動電極Ｔｘとは、互いに交差する関係である。この駆動電極Ｔｘとしては、上述した画像表示用の共通電極ＣＯＭＥが用いられる。
【００５１】
なお、タッチ検出電極ＲｘがＹ方向にストライプ状に形成され、駆動電極ＴｘがＸ方向にストライプ状に形成されてもよい。
【００５２】
このような構成において、駆動電極Ｔｘは、順次高周波パルスの駆動信号（タッチ駆動信号）により駆動される。この場合、例えば指先等の物体が近接しているタッチ検出電極Ｒｘからは、他のタッチ検出電極Ｒｘからの出力に比べて、レベルの低い信号（以下、タッチ検出信号と表記）が検出される。これは、指先が近接しているタッチ検出電極Ｒｘと駆動電極Ｔｘとの間に生じている第１容量に加えて、当該タッチ検出電極Ｒｘと指先との間に第２容量が発生しているためである。すなわち、タッチ検出電極Ｒｘは、指先に応じた静電容量の変化に基づくタッチ検出信号を出力することができる。
【００５３】
タッチ検出機構１２によれば、上記の駆動電極Ｔｘの駆動タイミングと、レベルの低い検出信号を出力したタッチ検出電極Ｒｘの位置とから、指先の座標位置（接触位置）を判別することができる。
【００５４】
図５は、表示装置１０における表示期間及びタッチ検出期間との関係の一例について説明する。
【００５５】
本実施形態において、表示期間は、表示パネル１１において表示領域ＤＡに画像を表示する表示動作（ゲートドライバＧＤ及びソースドライバＳＤによる表示画素ＰＸに対する駆動動作）が実行される期間を含む。一方、タッチ検出期間は、タッチ検出機構１２において物体の接触を検出するタッチ検出動作（例えば、駆動電極Ｔｘにタッチ駆動信号を供給してタッチ検出信号を検出する動作）が実行される期間を含む。
【００５６】
ここで、上記したようにタッチ検出期間においてタッチ駆動信号が供給される駆動電極Ｔｘとしては、複数のストライプ状の共通電極ＣＯＭＥが用いられる。すなわち、表示領域ＤＡに画像を表示するための共通電極ＣＯＭＥがタッチ検出用の駆動電極Ｔｘとしても利用されるため、本実施形態において、表示動作とタッチ検出動作とはタイムシェアリング（時分割）で実行される。
【００５７】
具体的には、図５に示すように、上記した表示動作によって１フレームの画像が表示される期間（以下、１フレーム期間と表記）は、複数のユニットで構成される。１ユニット内は、上記した表示期間及びタッチ検出期間に分割される。すなわち、１ユニット内の期間においては、ＲＧＢの３色のうちの１つを選択する信号（ＳＥＬＲ／Ｇ／Ｂ）に対応して色毎の画素信号（ＳＩＧｎ）を出力する動作（表示動作）が複数の表示行（ライン）について実行された後（表示期間）、駆動電極Ｔｘとしての共通電極ＣＯＭＥにタッチ駆動信号（駆動パルスＴｘＶＣＯＭ）を供給する動作が実行される（タッチ検出期間）。上記したように１フレーム期間は複数のユニットから構成されているため、１フレーム期間においては、表示期間とタッチ検出期間とが交互に繰り返される。
【００５８】
以下、本実施形態に係る表示装置１０の構成について詳細に説明する。ここで、図１には示されていないが、本実施形態に係る表示装置１０においては、表示領域ＤＡ（表示パネル１１）が異型形状を有するものとする。なお、本実施形態において、異型形状とは、例えば略正方形及び略長方形等の矩形形状とは異なる形状（矩形形状以外の形状）であるものとする。また、以下においては、表示領域ＤＡが矩形形状である表示装置を本実施形態の比較例として説明する。
【００５９】
図６は、本実施形態の比較例における駆動電極Ｔｘとタッチ検出電極Ｒｘとの位置関係を模式的に示す図である。
【００６０】
本実施形態の比較例において、複数の駆動電極Ｔｘ（共通電極ＣＯＭＥ）は、Ｙ方向に延出するようにＸ方向に並んで配置されている。一方、複数のタッチ検出電極Ｒｘは、Ｘ方向に延出するようにＹ方向に並んで配置されている。なお、複数の駆動電極Ｔｘ及び複数のタッチ検出電極Ｒｘは、矩形形状の表示領域ＤＡに重畳する位置に配置されている。
【００６１】
また、本実施形態の比較例に係る表示装置においては、図６に示すように、複数のタッチ検出電極Ｒｘの各々に配線（リード線）３００が接続されており、タッチ検出ドライバ１２１は、当該配線３００を介して各タッチ検出電極Ｒｘからタッチ検出信号を受け取ることができる。タッチ検出ドライバ１２１は、このようなタッチ検出信号に基づいて表示領域ＤＡに対する物体の接触を検出することができる。
【００６２】
ここで、駆動電極Ｔｘとタッチ検出電極Ｒｘとが図６に示すような位置関係にある場合、複数のタッチ検出電極Ｒｘの各々に接続される配線３００は、複数の駆動電極Ｔｘに沿うように配置されている。
【００６３】
この場合において、複数の駆動電極Ｔｘのうちの例えば配線３００の近傍（図６においては右端）に配置されている駆動電極Ｔｘ（以下、駆動電極Ｔｘ１と表記）に駆動信号が供給されると、当該駆動電極Ｔｘ１と配線３００との間に電界（フリンジ電界）が形成され、当該駆動電極Ｔｘ１と当該配線３００との間に寄生容量が発生する場合がある。駆動電極Ｔｘ１と配線３００との間に寄生容量が発生すると、例えば駆動電極Ｔｘ１及び配線３００に被るように指が接触した際に、当該配線３００が接続されているタッチ検出電極Ｒｘからタッチ検出信号が出力される。このような現象はシャドーと称されるが、これによれば、指が接触された位置とは異なる位置に配置されているタッチ検出電極Ｒｘからタッチ検出信号が出力されることになり、タッチ検出精度が低下する。よって、寄生容量の発生を抑制することが必要である。
【００６４】
ここで、図７は、タッチ検出電極Ｒｘと配線３００との接続部分を示している。寄生容量の発生を抑制するためには、図７に示すように配線３００と接続されるタッチ検出電極Ｒｘの根元の部分に、例えば図８の上段に示すシールド部（シールドパタン）４００を形成する。なお、シールド部４００は、タッチ検出電極Ｒｘと同様に、例えばＩＴＯまたはＩＺＯ等の透明な導電材料によって形成される。
【００６５】
このようなシールド部４００によれば、図８の下段に示すように駆動信号（駆動パルスＴｘＶＣＯＭ）が駆動電極Ｔｘ１に供給された際に当該駆動電極Ｔｘ１と配線３００との間で形成される電界をシールドすることができるため、寄生容量の発生を抑制することができる。
【００６６】
一方、図９は、本実施形態における駆動電極Ｔｘとタッチ検出電極Ｒｘの位置関係の一例を模式的に示す図である。なお、図９においては、本実施形態における異型形状を有する表示領域ＤＡが矩形形状に相当する部分（以下、矩形部分と表記）５０１と台形形状に相当する部分（以下、異型部分と表記）５０２とから構成されている例が示されている。
【００６７】
なお、異型形状を有する表示領域ＤＡにおいても、上記した本実施形態の比較例と同様に、複数の駆動電極ＴｘはＹ方向に延出するようにＸ方向に並んで配置され、複数のタッチ検出電極ＲｘはＸ方向に延出するようにＹ方向に並んで配置されている。また、複数の駆動電極Ｔｘ及び複数のタッチ検出電極Ｒｘは、異型形状の表示領域ＤＡに重畳する位置に配置されている。
【００６８】
ここで、異型部分５０２においては、矩形部分５０１と比較して、駆動電極Ｔｘ及びタッチ検出電極Ｒｘの容量（つまり、駆動電極Ｔｘとタッチ検出電極Ｒｘとが重なり合う部分の面積）が小さい分、タッチ検出電極Ｒｘから出力されるタッチ検出信号のシグナル量が低下する（タッチ検出信号が小さくなる）。
【００６９】
このような表示領域ＤＡが異型形状を有する構成において、寄生容量の発生を抑制するために上記したシールド部４００を形成する構成とした場合には、当該シールド部４００の影響により更にタッチ検出信号のシグナル量が低下する。
【００７０】
すなわち、上記したように表示領域ＤＡが異型形状を有する場合には、寄生容量の発生を抑制するために複数のタッチ検出電極Ｒｘにシールド部４００を形成した場合であってもタッチ検出精度が低下する場合がある。
【００７１】
そこで、本実施形態においては、例えば複数のタッチ検出電極Ｒｘのうちの一部のタッチ検出電極Ｒｘにシールド部４００を形成する構成を採用する。
【００７２】
以下、図１０を参照して、本実施形態においてタッチ検出電極Ｒｘに形成されるシールド部４００について具体的に説明する。
【００７３】
図１０においては、便宜的に、複数の駆動電極Ｔｘ及び複数のタッチ検出電極Ｒｘの一部のみが示されている。また、図１０においてＸ方向に並べて配置されている複数の駆動電極Ｔｘを、配線３００に近い側から順に駆動電極Ｔｘ１〜Ｔｘ４とする。また、図１０においてＹ方向に並べて配置されている複数のタッチ検出電極を、タッチ検出電極Ｒｘ１〜Ｒｘ８とする。
【００７４】
なお、図１０に示されているタッチ検出電極Ｒｘ１〜Ｒｘ８のうち、タッチ検出電極Ｒｘ１〜Ｒｘ３は上記した矩形部分５０１に重畳する位置に配置されているタッチ検出電極であり、タッチ検出電極Ｒｘ４〜Ｒｘ８は上記した異型部分５０２に重畳する位置に配置されているタッチ検出電極である。
【００７５】
本実施形態においては、タッチ検出電極Ｒｘ（複数のタッチ検出電極Ｒｘのうちの１つ）の近傍に配置されている配線３００と当該配線３００の近傍に配置されている駆動電極Ｔｘ（例えば、駆動電極Ｔｘ１）との間の距離が予め定められた値よりも短い場合には、当該タッチ検出電極Ｒｘにシールド部４００が形成されるものとする。なお、予め定められた値とは、配線３００と駆動電極Ｔｘとの間に電界が形成されて寄生容量が発生する程度に当該配線３００と駆動電極Ｔｘとの距離が短いことを判別することができる値であるものとする。
【００７６】
ここで、図１０に示すようにタッチ検出電極Ｒｘ１〜Ｒｘ８の各々に接続される配線３００をそれぞれ配線３０１〜３０８とし、当該配線３０１〜３０８のうち、配線３０１〜３０５の各々と駆動電極Ｔｘ（例えば、駆動電極Ｔｘ１）との間の距離が予め定められた値よりも短い場合を想定する。
【００７７】
この場合、配線３０１〜３０５の各々の近傍に配置されているタッチ検出電極Ｒｘ１〜Ｒｘ５の各々にシールド部４００が形成される。このタッチ検出電極Ｒｘ１〜Ｒｘ５の各々に形成されているシールド部４００によれば、駆動電極Ｔｘ１と配線３０１〜３０５の各々との間で形成される電界をシールドすることができる。
【００７８】
一方、配線３０６〜３０８の各々と駆動電極Ｔｘ１との間の距離が予め定められた値よりも長い場合を想定する。この場合、図１０に示すように、配線３０６〜３０８の各々の近傍に配置されているタッチ検出電極Ｒｘ６〜Ｒｘ８の各々にはシールド部４００は形成されない。なお、配線３０６〜３０８の各々は、駆動電極Ｔｘ２〜Ｔｘ４に並走しておらず、当該駆動電極Ｔｘ２〜Ｔｘ４からも予め定められた値以上の距離があることから、当該配線３０６〜３０８と駆動電極Ｔｘ２〜Ｔｘ４との間で発生する寄生容量の影響は小さい。このため、駆動電極Ｔｘ２〜Ｔｘ４との位置関係を考慮したとしても、タッチ検出電極Ｒｘ６〜Ｒｘ８にはシールド部４００は形成されない。
【００７９】
なお、ここではタッチ検出電極Ｒｘ１〜Ｒｘ５の各々にシールド部４００が形成されるものとして説明したが、例えばタッチ検出電極Ｒｘ１に形成されたシールド部４００と当該タッチ検出電極Ｒｘ１に隣接するタッチ検出電極Ｒｘ２に形成されたシールド部４００との間隔は、予め定められた値よりも狭いものとする。
【００８０】
また、タッチ検出電極Ｒｘ１〜Ｒｘ５の各々に形成されるシールド部４００の大きさは、配線３０１〜３０５と駆動電極Ｔｘ１との間の距離に応じて異なるものとする。具体的には、例えばタッチ検出電極Ｒｘ１に形成されるシールド部４００の大きさは、当該タッチ検出電極Ｒｘ１に接続される配線３０１と駆動電極Ｔｘ１との間の距離に基づいて定められる。また、例えばタッチ検出電極Ｒｘ２に形成されるシールド部４００の大きさは、当該タッチ検出電極Ｒｘ２に接続される配線３０２と駆動電極Ｔｘ１との間の距離に応じて定められる。ここでは、タッチ検出電極Ｒｘ１及びＲｘ２に形成されるシールド部４００についてのみ説明したが、他のタッチ検出電極Ｒｘ３〜Ｒｘ５に形成されるシールド部４００についても同様である。
【００８１】
なお、例えば配線３０１〜３０８が図１０に示すような位置関係にある場合、タッチ検出電極Ｒｘ１〜Ｒｘ５の各々に形成されるシールド部４００は、当該タッチ検出電極Ｒｘ１〜Ｒｘ５の順に大きくなるように形成されている。
【００８２】
すなわち、本実施形態において、タッチ検出電極Ｒｘ１〜Ｒｘ５の各々に形成されるシールド部４００は、配線３０１〜３０５との位置関係に応じて可能な限り面積が大きくなるように形成されるものとする。
【００８３】
なお、上記したようにタッチ検出電極Ｒｘ１〜Ｒｘ５の各々に形成されるシールド部４００の大きさは当該タッチ検出電極Ｒｘ１〜Ｒｘ５の各々に接続される配線３０１〜３０５との距離に応じて異なるが、例えばタッチ検出電極Ｒｘ１に形成されるシールド部４００と駆動電極Ｔｘ１とが重なり合う部分の面積と、タッチ検出電極Ｒｘ２に形成されるシールド部４００と駆動電極Ｔｘ１とが重なり合う部分の面積とは、略同一であるものとする。同様に、タッチ検出電極Ｒｘ２に形成されるシールド部４００と駆動電極Ｔｘ１とが重なり合う部分の面積と、タッチ検出電極Ｒｘ３に形成されるシールド部４００と駆動電極Ｔｘ１とが重なり合う部分の面積とは、略同一であるものとする。すなわち、例えば矩形部分５０１においてシールド部４００と駆動電極Ｔｘ１とが重なり合う部分は、各タッチ検出電極Ｒｘにおいて略同一となるように構成されているものとする。
【００８４】
上記したように本実施形態においては、タッチ検出電極Ｒｘ（複数の第２電極のうちの１つの第２電極）の近傍に配置されている配線３００と当該配線３００の近傍に配置されている駆動電極Ｔｘ（第１電極）との間の距離が予め定められた値よりも短い場合には、当該タッチ検出電極Ｒｘにシールド部４００が形成される。一方、タッチ検出電極Ｒｘの近傍に配置されている配線３００と当該配線３００の近傍に配置されている駆動電極Ｔｘとの間の距離が予め定められた値よりも長い場合には、当該タッチ検出電極Ｒｘにシールド部４００は形成されない。
【００８５】
本実施形態においては、このような構成により、例えば上記したタッチ検出電極Ｒｘ１〜Ｒｘ５に形成されたシールド部４００によって駆動電極Ｔｘ１と配線３０１〜３０５との間で形成される電界をシールドし、当該駆動電極Ｔｘ１と配線３０１〜３０５との間での寄生容量の発生を抑制することができる。また、タッチ検出電極Ｒｘ６〜Ｒｘ８にはシールド部４００が形成されないため、当該タッチ検出電極Ｒｘ６〜Ｒｘ８においては、当該シールド部４００の影響によりタッチ検出信号のシグナル量が低下することを回避することができる。
【００８６】
すなわち、本実施形態においては、配線３００と駆動電極Ｔｘとの間で発生する寄生容量の影響が大きい部分についてはシールド部４００を形成し、配線３００と駆動電極Ｔｘとの間で発生する寄生容量の影響が小さい部分についてはシールド部４００を形成しない構成とすることによって、タッチ検出の精度の低下を抑制することが可能となる。
【００８７】
また、本実施形態においては、タッチ検出電極Ｒｘ（例えば、タッチ検出電極Ｒｘ１）に形成されたシールド部４００と当該タッチ検出電極Ｒｘに隣接するタッチ検出電極Ｒｘ（例えば、タッチ検出電極Ｒｘ２）に形成されたシールド部４００との間隔が予め定められた値よりも狭くなるように構成されていてもよい。このような構成によれば、隣接するタッチ検出電極Ｒｘの各々に形成されたシールド部４００の間から電界が形成されることを抑制することができるため、より寄生容量の発生を抑制することが可能となる。
【００８８】
更に、本実施形態においては、タッチ検出電極Ｒｘに接続される配線３００と駆動電極Ｔｘとの間の距離に応じて当該タッチ検出電極Ｒｘに形成されるシールド部４００の大きさが異なるように構成されていてもよい。このような構成によれば、各タッチ検出電極Ｒｘにおけるシールド部４００を配線３００との位置関係に応じて可能な限り大きく形成するによって、シールド部４００によるシールド効果を向上させ、より寄生容量の発生を抑制することが可能となる。
【００８９】
また、本実施形態においては、タッチ検出電極Ｒｘ（例えば、タッチ検出電極Ｒｘ１）に形成されたシールド部４００と駆動電極Ｔｘ（例えば、駆動電極Ｔｘ１）とが重なり合う部分の面積が、他のタッチ検出電極Ｒｘ（例えば、タッチ検出電極Ｒｘ２及びＲｘ３）に形成されたシールド部４００と駆動電極Ｔｘとが重なり合う部分の面積と略同一となるように構成されてもよい。このような構成によれば、駆動電極Ｔｘのシールド部４００と重なり合わない（つまり、シールド部４００によって覆われない）部分の面積を均一にすることができるため、シールド部４００の影響によるシグナル量の低下のばらつきを抑制することが可能となる。
【００９０】
また、本実施形態においては、表示領域ＤＡに画像を表示するための複数の共通電極ＣＯＭＥを物体の接触を検出するための複数の駆動電極Ｔｘとして利用し、当該表示領域ＤＡに画像を表示する表示動作とタッチ検出動作とを時分割により実行する構成により、表示装置１０の薄型化及び画質の向上を実現することができる。
【００９１】
なお、上記した図１０においてはタッチ検出電極Ｒｘ１〜Ｒｘ５にシールド部４００が形成されるものとして説明したが、例えば表示領域ＤＡを構成する矩形部分５０１に重畳する位置に配置されているタッチ検出電極Ｒｘ（例えば、タッチ検出電極Ｒｘ１〜Ｒｘ３）にシールド部４００を形成し、当該表示領域ＤＡを構成する異型部分５０２に重畳する位置に配置されているタッチ検出電極Ｒｘ（例えば、タッチ検出電極Ｒｘ４〜Ｒｘ８）にシールド部４００を形成しない構成としてもよい。
【００９２】
また、図９においてＸ方向に延出する複数のタッチ検出電極Ｒｘの各々の右側の端部を第１端部、左側の端部を第２端部とすると、本実施形態においては、全ての配線３００が複数のタッチ検出電極Ｒｘの第１端部に接続されるものとして説明したが、図１１に示すように、例えば奇数番目のタッチ検出電極Ｒｘについては第１端部に配線３００が接続され、偶数番目のタッチ検出電極Ｒｘについては第２端部に配線３００が接続されるように構成されていてもよい。なお、本実施形態においては、配線３００の全てが複数のタッチ検出電極Ｒｘの第１端部に接続されていたため、当該配線３００に近いタッチ検出電極Ｒｘの根元の部分にシールド部４００が形成されるものとして説明したが、図１１に示す構成の場合には、タッチ検出電極Ｒｘの根元の部分及び先端の部分の一方または両方にシールド部４００が形成されても構わない。
【００９３】
また、本実施形態においては表示装置１０の表示領域ＤＡ（表示パネル１１）が異型形状を有し、表示領域ＤＡが矩形形状を有する表示装置については比較例として説明したが、本実施形態は、表示領域ＤＡが異型形状を有しない（つまり、例えば矩形形状を有する）場合に適用されても構わない。すなわち、本実施形態は、上記したようにタッチ検出電極Ｒｘの近傍に配置されている配線３００と当該配線３００の近傍に配置されている駆動電極Ｔｘとの距離が予め定められた値よりも短い場合には当該タッチ検出電極Ｒｘにシールド部４００を形成し、当該距離が予め定められた値よりも長い場合には当該タッチ検出電極Ｒｘにシールド部４００を形成しない構成であれば、表示領域ＤＡが異型形状を有していなくても構わない。
【００９４】
なお、本実施形態においてはインセル型と称されるタッチ検出機構１２を備える表示装置１０について説明したが、本実施形態は、例えばオンセル型のタッチ検出機構を備える表示装置として実現されてもよいし、所定の領域（タッチ検出領域）に対する物体の接触または近接を検出するためのタッチパネル（タッチセンサ）として実現されてもよい。
【００９５】
（第２実施形態）
次に、第２実施形態について説明する。以下、前述した第１実施形態の説明に用いた図面と同様の部分については同一の参照符号を付してその詳しい説明を省略する。ここでは、前述した第１実施形態とは異なる部分について主に述べる。
【００９６】
本実施形態は、タッチ検出電極Ｒｘの近傍に配置されている配線３００と当該配線３００の近傍に配置されている駆動電極Ｔｘとの間の距離が予め定められた値よりも長い場合であっても、当該タッチ検出電極Ｒｘにシールド部が形成される点で、前述した第１実施形態とは異なる。
【００９７】
ところで、前述した図１０において、異型部分５０２に重畳する位置に配置されている駆動電極Ｔｘ２〜Ｔｘ４とタッチ検出電極Ｒｘ６〜Ｒｘ８とが交差する部分は、当該駆動電極Ｔｘ２〜Ｔｘ４の各々とタッチ検出電極Ｒｘ６〜Ｒｘ８の各々との重なり合う面積が小さいため、各駆動電極Ｔｘ及びタッチ検出電極Ｒｘ（Ｔｘ−Ｒｘ）間の容量が小さい。
【００９８】
ここで、例えば駆動電極Ｔｘ２とタッチ検出電極Ｒｘ６とが交差する部分に指等の物体が接触された場合には当該タッチ検出電極Ｒｘ６からタッチ検出信号が出力され、当該タッチ検出信号は、当該物体の接触を検出するためにＡ／Ｄコンバータ（図示せず）に入力される。
【００９９】
しかしながら、上記したように異型部分５０２の形状によって駆動電極Ｔｘ２及びタッチ検出電極Ｒｘ６間の容量が小さい場合には、当該タッチ検出電極Ｒｘ６から出力されるタッチ検出信号値がＡ／Ｄコンバータのダイナミックレンジにおける下限値（最小値）よりも小さくなり、物体の接触を検出することができない場合がある。
【０１００】
ここでは、駆動電極Ｔｘ２とタッチ検出電極Ｒｘ６とが交差する部分に物体が接触された場合について説明したが、駆動電極Ｔｘ３とタッチ検出電極Ｒｘ７とが交差する部分に物体が接触された場合及び駆動電極Ｔｘ４とタッチ検出電極Ｒｘ８とが交差する部分に物体が接触された場合についても同様である。
【０１０１】
そこで、本実施形態においては、図１２に示すように、タッチ検出電極Ｒｘ６〜Ｒｘ８にシールド部４０１（第２シールド部）を形成するものとする。この場合、シールド部４０１は、駆動電極Ｔｘ２〜Ｔｘ４と重なり合わない位置に形成される。なお、シールド部４０１は、前述したシールド部４００と同様に、例えばＩＴＯまたはＩＺＯ等の透明な導電材料によって形成される。
【０１０２】
このようにタッチ検出電極Ｒｘ６に形成されたシールド部４０１によれば、駆動電極Ｔｘ２及びタッチ検出電極Ｒｘ６間の容量を増加させることができる。また、タッチ検出電極Ｒｘ７に形成されたシールド部４０１によれば、駆動電極Ｔｘ３及びタッチ検出電極Ｒｘ７間の容量を増加させることができる。更に、タッチ検出電極Ｒｘ８に形成されたシールド部４０１によれば、駆動電極Ｔｘ４及びタッチ検出電極Ｒｘ８間の容量を増加させることができる。
【０１０３】
なお、タッチ検出電極Ｒｘ６〜Ｒｘ８の各々に形成されるシールド部４０１の大きさは、配線３０６〜３０８と駆動電極Ｔｘ２〜Ｔｘ４との間の距離に基づいて異なるものとする。すなわち、本実施形態において、タッチ検出電極Ｒｘ６〜Ｒｘ８の各々に形成されるシールド部４０１は、配線３０６〜３０８との位置関係に応じて可能な限り面積が大きくなるように形成されるものとする。
【０１０４】
ここでは、タッチ検出電極Ｒｘ６〜Ｒｘ８の各々に形成されるシールド部４０１について説明したが、他のタッチ検出電極Ｒｘ１〜Ｒｘ５の各々に形成されるシールド部４００（第１シールド部）については前述した第１実施形態と同様であるため、ここではその詳しい説明を省略する。
【０１０５】
上記したように本実施形態においては、タッチ検出電極Ｒｘの近傍に配置されている配線３００と当該配線３００の近傍に配置されている駆動電極Ｔｘとの間の距離が予め定められた値よりも長い場合には、当該タッチ検出電極Ｒｘにシールド部４０１（第２シールド部）が形成される。
【０１０６】
本実施形態においては、このような構成により、シールド部４０１によって異型部分５０２における駆動電極Ｔｘ及びタッチ検出電極Ｒｘ間の容量を増加させることができるため、表示領域ＤＡ（表示パネル１１）の面内の駆動電極Ｔｘ及びタッチ検出電極Ｒｘ間の容量のばらつきを低減し、タッチ検出の精度を向上させることが可能となる。
【０１０７】
また、本実施形態においては、シールド部４０１が駆動電極Ｔｘ（例えば、駆動電極Ｔｘ２〜Ｔｘ４）と重なり合わない位置に形成されることにより、当該シールド部４０１の影響によりタッチ検出信号のシグナル量が低下することを回避することが可能となる。
【０１０８】
また、本実施形態においては、タッチ検出電極Ｒｘの近傍に配置されている配線３００と当該配線３００の近傍に配置されている駆動電極Ｔｘとの間の距離に応じて当該タッチ検出電極Ｒｘに形成されるシールド部４０１の大きさが異なるように構成されていてもよい。このような構成によれば、各タッチ検出電極Ｒｘにおけるシールド部４０１を、配線３００との位置関係に応じて可能な限り大きく形成することによって、より異型部分５０２における駆動電極Ｔｘ及びタッチ検出電極Ｒｘ間の容量を増加させることが可能となる。
【０１０９】
ここで、前述した第１実施形態においては、駆動電極Ｔｘ２〜Ｔｘ４等においては寄生容量の発生による影響が少ないという観点からタッチ検出電極Ｒｘ６〜Ｒｘ８にシールド部を形成しないものとして説明したが、配線３０６〜３０８と駆動電極Ｔｘ２〜Ｔｘ４との間でも寄生容量が発生する場合がある。このため、本実施形態においては、図１３に示すように、例えばシールド部４０１が駆動電極Ｔｘに重なり合う位置に形成される構成としてもよい。
【０１１０】
このような構成によれば、異型部分５０２における駆動電極Ｔｘ及びタッチ検出電極Ｒｘ間の容量を増加させるとともに、配線３００と当該駆動電極Ｔｘとの間での寄生容量の発生を抑制することも期待できる。
【０１１１】
この場合、シールド部４０１と駆動電極Ｔｘとが重なり合う部分の面積をシールド部４００が駆動電極Ｔｘと重なり合う部分の面積よりも小さくなるようにすることにより、シールド部４０１の影響によりタッチ検出信号のシグナル量が低下することも抑制することができる。
【０１１２】
以下、本実施形態に係る発明を付記する。  
［Ｃ１］  
表示領域に画像を表示する表示装置において、  
前記表示領域に重畳して、第１方向に延出するように前記第１方向と交差する第２方向に並べて配置される複数の第１電極と、  
前記表示領域に重畳して、前記第２方向に延出するように前記第１方向に並べて配置される複数の第２電極と、  
前記複数の第１電極と沿うように配置され、前記複数の第２電極の各々に接続される複数の配線と、  
前記複数の配線と接続され、前記複数の第１電極と前記複数の第２電極との間の静電容量に基づいて前記表示領域に対する物体の接触または近接を検出するタッチ検出ドライバと  
を具備し、  
前記複数の第２電極のうちの１つの第２電極の近傍に配置されている配線と前記複数の第１電極のうちの当該配線の近傍に配置されている第１電極との間の距離が予め定められた値よりも短い場合には、当該第２電極にシールド部が形成されており、  
前記複数の第２電極のうちの１つの第２電極の近傍に配置されている配線と前記複数の第１電極のうちの当該配線の近傍に配置されている第１電極との間の距離が予め定められた値よりも長い場合には、当該第２電極に前記シールド部は形成されない  
表示装置。  
［Ｃ２］  
前記第２電極に形成されたシールド部と当該第２電極に隣接する第２電極に形成されたシールド部との間隔は、予め定められた値よりも狭い［Ｃ１］記載の表示装置。  
［Ｃ３］  
前記第２電極に接続される配線と当該配線の近傍に配置されている第１電極との間の距離に応じて、当該第２電極に形成されるシールド部の大きさが異なる［Ｃ１］記載の表示装置。  
［Ｃ４］  
前記第２電極に形成されたシールド部と前記第１電極とが重なり合う部分の面積は、他の第２電極に形成されたシールド部と前記第１電極とが重なり合う部分の面積と略同一である［Ｃ１］記載の表示装置。  
［Ｃ５］  
前記表示領域に画像を表示するための複数の共通電極を前記複数の第１電極として用いる［Ｃ１］記載の表示装置。  
［Ｃ６］  
表示領域に画像を表示する表示装置において、  
前記表示領域に重畳して、第１方向に延出するように前記第１方向と交差する第２方向に並べて配置される複数の第１電極と、  
前記表示領域に重畳して、前記第２方向に延出するように前記第１方向に並べて配置される複数の第２電極と、  
前記複数の第１電極と沿うように配置され、前記複数の第２電極の各々に接続される複数の配線と、  
前記複数の配線と接続され、前記複数の第１電極と前記複数の第２電極との間の静電容量に基づいて前記表示領域に対する物体の接触または近接を検出するタッチ検出ドライバと  
を具備し、  
前記複数の第２電極のうちの１つの第２電極の近傍に配置されている配線と前記複数の第１電極のうちの当該配線の近傍に配置されている第１電極との間の距離が予め定められた値よりも短い場合には、当該第２電極に第１シールド部が形成されており、  
前記複数の第２電極のうちの１つの第２電極の近傍に配置されている配線と前記複数の第１電極のうちの当該配線の近傍に配置されている第１電極との間の距離が予め定められた値よりも長い場合には、当該第２電極に第２シールド部が形成されており、  
前記第１シールド部は、前記第１電極と重なり合う位置に形成されており、  
前記第２シールド部は、前記第１電極と重なり合わない位置に形成されている  
表示装置。  
［Ｃ７］  
表示領域に画像を表示する表示装置において、  
前記表示領域に重畳して、第１方向に延出するように前記第１方向と交差する第２方向に並べて配置される複数の第１電極と、  
前記表示領域に重畳して、前記第２方向に延出するように前記第１方向に並べて配置される複数の第２電極と、
前記複数の第１電極と沿うように配置され、前記複数の第２電極の各々に接続される複数の配線と、  
前記複数の配線と接続され、前記複数の第１電極と前記複数の第２電極との間の静電容量に基づいて前記表示領域に対する物体の接触または近接を検出するタッチ検出ドライバと  
を具備し、  
前記複数の第２電極のうちの１つの第２電極の近傍に配置されている配線と前記複数の第１電極のうちの当該配線の近傍に配置されている第１電極との間の距離が予め定められた値よりも短い場合には、当該第２電極に第１シールド部が形成されており、  
前記複数の第２電極のうちの１つの第２電極の近傍に配置されている配線と前記複数の第１電極のうちの当該配線の近傍に配置されている第１電極との間の距離が予め定められた値よりも長い場合には、当該第２電極に第２シールド部が形成されており、  
前記第２シールド部と前記第１電極とが重なり合う部分の面積は、前記第１シールド部と前記第１電極とが重なり合う部分の面積よりも小さい  
表示装置。  
［Ｃ８］  
前記表示領域は、矩形形状とは異なる形状を有する［Ｃ１］〜［Ｃ７］のいずれか一項に記載の表示装置。  
［Ｃ９］  
タッチ検出領域に重畳して、第１方向に延出するように前記第１方向と交差する第２方向に並べて配置される複数の第１電極と、  
前記タッチ検出領域に重畳して、前記第２方向に延出するように前記第１方向に並べて配置される複数の第２電極と、  
前記複数の第１電極と沿うように配置され、前記複数の第２電極の各々に接続される複数の配線と、  
前記複数の配線と接続され、前記複数の第１電極と前記複数の第２電極との間の静電容量に基づいて前記タッチ検出領域に対する物体の接触または近接を検出するタッチ検出ドライバと  
を具備し、  
前記複数の第２電極のうちの１つの第２電極の近傍に配置されている配線と前記複数の第１電極のうちの当該配線の近傍に配置されている第１電極との間の距離が予め定められた値よりも短い場合には、当該第２電極にシールド部が形成されており、  
前記複数の第２電極のうちの１つの第２電極の近傍に配置されている配線と前記複数の第１電極のうちの当該配線の近傍に配置されている第１電極との間の距離が予め定められた値よりも長い場合には、当該第２電極に前記シールド部は形成されない  
タッチパネル。
［Ｃ１０］  
前記第２電極に形成されたシールド部と当該第２電極に隣接する第２電極に形成されたシールド部との間隔は、予め定められた値よりも狭い［Ｃ９］記載のタッチパネル。  
［Ｃ１１］  
前記第２電極に接続される配線と当該配線の近傍に配置されている第１電極との間の距離に応じて、当該第２電極に形成されるシールド部の大きさが異なる［Ｃ９］記載のタッチパネル。  
［Ｃ１２］  
前記第２電極に形成されたシールド部と前記第１電極とが重なり合う部分の面積は、他の第２電極に形成されたシールド部と前記第１電極とが重なり合う部分の面積と略同一である［Ｃ９］記載のタッチパネル。  
［Ｃ１３］  
タッチ検出領域に重畳して、第１方向に延出するように前記第１方向と交差する第２方向に並べて配置される複数の第１電極と、  
前記タッチ検出領域に重畳して、前記第２方向に延出するように前記第１方向に並べて配置される複数の第２電極と、  
前記複数の第１電極と沿うように配置され、前記複数の第２電極の各々に接続される複数の配線と、  
前記複数の配線と接続され、前記複数の第１電極と前記複数の第２電極との間の静電容量に基づいて前記タッチ検出領域に対する物体の接触または近接を検出するタッチ検出ドライバと  
を具備し、  
前記複数の第２電極のうちの１つの第２電極の近傍に配置されている配線と前記複数の第１電極のうちの当該配線の近傍に配置されている第１電極との間の距離が予め定められた値よりも短い場合には、当該第２電極に第１シールド部が形成されており、  
前記複数の第２電極のうちの１つの第２電極の近傍に配置されている配線と前記複数の第１電極のうちの当該配線の近傍に配置されている第１電極との間の距離が予め定められた値よりも長い場合には、当該第２電極に第２シールド部が形成されており、  
前記第１シールド部は、前記第１電極と重なり合う位置に形成されており、  
前記第２シールド部は、前記第１電極と重なり合わない位置に形成されている  
タッチパネル。  
［Ｃ１４］  
タッチ検出領域に重畳して、第１方向に延出するように前記第１方向と交差する第２方向に並べて配置される複数の第１電極と、  
前記タッチ検出領域に重畳して、前記第２方向に延出するように前記第１方向に並べて配置される複数の第２電極と、
前記複数の第１電極と沿うように配置され、前記複数の第２電極の各々に接続される複数の配線と、  
前記複数の配線と接続され、前記複数の第１電極と前記複数の第２電極との間の静電容量に基づいて前記タッチ検出領域に対する物体の接触または近接を検出するタッチ検出ドライバと  
を具備し、  
前記複数の第２電極のうちの１つの第２電極の近傍に配置されている配線と前記複数の第１電極のうちの当該配線の近傍に配置されている第１電極との間の距離が予め定められた値よりも短い場合には、当該第２電極に第１シールド部が形成されており、  
前記複数の第２電極のうちの１つの第２電極の近傍に配置されている配線と前記複数の第１電極のうちの当該配線の近傍に配置されている第１電極との間の距離が予め定められた値よりも長い場合には、当該第２電極に第２シールド部が形成されており、  
前記第２シールド部と前記第１電極とが重なり合う部分の面積は、前記第１シールド部と前記第１電極とが重なり合う部分の面積よりも小さい  
表示装置。  
［Ｃ１５］  
前記タッチ検出領域は、矩形形状とは異なる形状を有する［Ｃ９］〜［Ｃ１４］のいずれか一項に記載の表示装置。
【０１１３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１１４】
Ｔｘ…駆動電極（第１電極）、Ｒｘ…タッチ検出電極（第２電極）、１０…表示装置、１１…表示パネル、１２…タッチ検出機構、１３…バックライトユニット、１１１…第１基板、１１２…第２基板、１１３…パネルドライバ、１２１…タッチ検出ドライバ、３００…配線、４００，４０１…シールド部。
【図１】
2020042574.tif 000003
【図２】
2020042574.tif 000004
【図３】
2020042574.tif 000005
【図４】
2020042574.tif 000006
【図５】
2020042574.tif 000007
【図６】
2020042574.tif 000008
【図７】
2020042574.tif 000009
【図８】
2020042574.tif 000010
【図９】
2020042574.tif 000011
【図１０】
2020042574.tif 000012
【図１１】
2020042574.tif 000013
【図１２】
2020042574.tif 000014
【図１３】
2020042574.tif 000015